(57)【要約】  【課題】空間を仕切ることが可能で、しかも仕切る部分の近傍に着座した場合においても圧迫感を受けることが少ない壁構造体を提供する。  【解決手段】空間を仕切る機能を有する自立可能な壁体１と、この壁体１から突出して設けられ、前記壁体１と他の家具であるテーブルＴの天板Ｔ１の端縁Ｔ１ｂとの間に緩衝領域Ａを形成する機能を有するスペーサ部材たる補助天板２とを有する壁構造体１００を用意する。  【選択図】図１
2006274580.tif 000002
【特許請求の範囲】
【請求項１】
空間を仕切る機能を有する自立可能な壁体と、この壁体から突出して設けられ、前記壁体と他の家具の天板の端縁との間に緩衝領域を形成する機能を有するスペーサ部材とを有することを特徴とする壁構造体。
【請求項２】
前記スペーサ部材が、一端縁部を前記他の家具の天板と重合可能な補助天板であることを特徴とする請求項１記載の壁構造体。
【請求項３】
天板を有する他の家具と隣接させた状態において、前記補助天板の側縁が他の天板の側縁と不連続となるように前記補助天板を形成していることを特徴とする請求項２記載の壁構造体。
【請求項４】
壁体の上部に、補助天板の天板面よりも上方の位置において空間を仕切る上パネル体を備えてなることを特徴とする請求項２又は３記載の壁構造体。
【請求項５】
壁体の上部に、上パネル体と重なるように配置される書き込み可能なボードを着脱可能に備えてなることを特徴とする請求項４記載の壁構造体。
【請求項６】
ボードが、ホワイトボードであることを特徴とする請求項５記載の壁構造体。
【請求項７】
壁体の上部に、上パネル体と重なるように配置される映写スクリーンを着脱可能に備えてなることを特徴とする請求項４記載の壁構造体。
【請求項８】
壁体の上部に、上パネル体と重なる位置に表示ディスプレイ装置を着脱可能に支持するディスプレイ装置支持部を備えてなることを特徴とする請求項４記載の壁構造体。
【請求項９】
前記上パネル体が、昇降可能であることを特徴とする請求項４、５、６又は８記載の壁構造体。
【請求項１０】
前記上パネル体が、書き込み可能なボードであることを特徴とする請求項４、５、６、７、８又は９記載の壁構造体。
【請求項１１】
前記上パネル体が、映写スクリーンであることを特徴とする請求項４、５、６、７、８又は９記載の壁構造体。
【請求項１２】
前記上パネル体が、表示ディスプレイ装置であることを特徴とする請求項４、５、６、７、８又は９記載の壁構造体。
【請求項１３】
前記壁体が、キャスタを備えていることを特徴とする請求項１、２、３、４、５、６、７、８、９、１０、１１又は１２記載の壁構造体。
【発明の詳細な説明】
【技術分野】
【０００１】
本発明は、天板を有する他の家具に隣接して用いる壁構造体に関するものである。
【背景技術】
【０００２】
来客室や会議室と言った、比較的使用頻度の低い専用領域（スペース）を常設しておくことは、それら以外の必要な領域を制限しなければならないために、会社の規模が小さくなるほど負担になる。このため、社員が常時使用する領域つまり執務領域とは空間的に仕切ることができ、しかも接客や社内の会議などに使用することができるスペースを形成し得る家具が求められている。
【０００３】
そこで、パーティションなどの間仕切りに机を連結し得るようにしたものが、例えば特許文献１に示されるように考案されている。この特許文献１の間仕切りは、机との連結部を着脱自在に設けておき、連結部を介して机を連結することにより起立状態を維持するように構成されている。このように、間仕切りに机を連結する構成であれば、机を配置する場所とその周辺の場所とを間仕切りにより区画することができ、脚部を設けなくとも間仕切りを起立させることができる。
【特許文献１】特開２００３−２４１５４号公報
【発明の開示】
【発明が解決しようとする課題】
【０００４】
ところで、上記の構成のものであると、間仕切りにより限られた空間を仕切ることが容易になるものの、例えば会議などで机に向かって着席する場合、間仕切りに近接する席では、間仕切りがあるために圧迫感を受けることがある。このため、机の端の方から順に詰めて着席しようとする場合に、着席する者に着席位置を任せておくと、圧迫感を受けないように間仕切りから必要以上に離れた位置に席を設けるようになるのが一般的である。
【０００５】
しかしながら、このように間仕切りから離れた位置に席を作ると、会議などに出席を予定している人数の席を確保することができなくなる可能性がでてくる。一方、予定している人数の席を確保すると、間仕切りの近くの席に座る者は、着席している間、間仕切りから圧迫感を受けることになり、落ち着かないものとなった。
【０００６】
そこで本発明は、以上のような問題に鑑みて、空間を仕切ることが可能で、しかも、既存のテーブル等の他の家具に隣接して配置した際に、仕切る部分の近傍において他の家具に着座した場合であっても圧迫感を受けることが少ない壁構造体を提供しようとするものである。
【課題を解決するための手段】
【０００７】
すなわち、本発明の壁構造体は、空間を仕切る機能を有する自立可能な壁体と、この壁体から突出して設けられ、前記壁体と他の家具の天板の端縁との間に緩衝領域を形成する機能を有するスペーサ部材とを有することを特徴とする。
【０００８】
このような構成によれば、本発明の壁構造体を既存のテーブル等の他の家具に隣接させて配置した場合に他の家具の天板の端部に着座しても、スペーサ部材により前記壁体と前記他の家具の天板の端縁との間に緩衝領域を形成しているので、壁体により圧迫感を受けることがない。したがって、利用者に対して、既存のテーブル等の他の家具の天板の端部に面して着座した場合の座り心地を向上させることができる。そして、このような壁構造体により、壁体により空間を仕切りつつ、予定し得る最大の人数により他の家具を利用させることが容易に可能になる。
【０００９】
補助天板の認識性を高くするためには、前記スペーサ部材が、一端縁部を前記他の家具の天板と重合可能な補助天板であるものであることが好ましい。このようなものであれば、前記他の家具の天板と補助天板との間に段差が形成されるので前記他の家具の天板の端部の認識が容易となるからである。また、
他の家具の天板の端部に対する認識性を高くするためには、天板を有する他の家具と隣接させた状態において、前記補助天板の側縁が他の天板の側縁と不連続となるように前記補助天板を形成しているものが好ましい。なお、「補助天板の側縁が他の天板の側縁と不連続である」とは、補助天板の側縁を形成する面と、他の天板の側縁を形成する面とが面一でない状態全般を含む概念である。
【００１０】
テーブルが配置される空間の間仕切りをより明確にするためには、壁体の上部に、天板付き家具に隣接して配置した状態で天板付き家具の天板面よりも上方の位置において空間を仕切る上パネル体を備えてなるものが好ましい。また、壁体の上部に、上パネル体と重なるように配置される書き込み可能なボードを着脱可能に備えてなるものが望ましい。このような構成の場合、ボードとしては、ホワイトボードが挙げられる。さらに、壁体の上部を有効利用できる構成としては、壁体の上部に、上パネル体と重なるように配置される映写スクリーンを着脱可能に備えてなるものや、上パネル体と重なる位置に表示ディスプレイ装置を着脱可能に支持するディスプレイ装置支持部を備えてなるものも挙げられる。
【００１１】
より多様な使用の態様に対応可能にするには、前記上パネル体が、昇降可能であるものが好ましい。このようにすれば、前記上パネル体を下降させて全体を天板付き家具の天板面の下方に収納し、間仕切りを取り除く使用態様を実現できる。
【００１２】
さらに多様な使用の態様に対応可能にするには、前記上パネル体が書き込み可能なボードであるボードであるものや、前記上パネル体が映写スクリーンであるものや、前記上パネル体が表示ディスプレイ装置であるものが好ましい。なお、「表示ディスプレイ装置」とは、液晶ディスプレイやプラズマディスプレイ等、ディスプレイ画面を有する表示装置全般を含む概念である。
【００１３】
壁構造体の運搬を容易に行えるようにし、必要に応じて他の家具に隣接させ、該家具付近の空間を仕切る態様を容易に実現できるようにするには、前記壁体が、キャスタを備えているものが好ましい。
【発明の効果】
【００１４】
本発明は、以上説明したような構成であるので、以下に記載するような効果を奏する。
【００１５】
すなわち、本発明の壁構造体を他の家具に隣接させて配置した場合に既存のテーブル等の他の家具の天板の端部に着座しても、スペーサ部材により壁構造体の壁体と前記他の家具の天板の端縁との間に緩衝領域を形成しているので、着座者が壁体により圧迫感を受けることがない。したがって、他の家具に隣接して配置した際に、利用者に対して、他の家具の天板の端部に面して着座した場合の座り心地を向上させることができる。そして、このような壁構造体により、壁体により空間を仕切りつつ、予定し得る最大の人数により他の家具を利用させることが容易に可能になる。
【発明を実施するための最良の形態】
【００１６】
以下、本発明の一実施形態を、図１から図４を参照して説明する。
【００１７】
この実施形態の壁構造体１００は、前記図１から図４に示すように、他の家具であるテーブルＴに隣接して配置しうるものであって、空間を仕切る機能を有する自立可能な壁体１と、この壁体１から突出して設けられ、前記壁体１と前記テーブルＴの天板Ｔ１の端縁Ｔ１ｂとの間に緩衝領域Ａを形成する機能を有するスペーサ部材たる補助天板２とを備えており、例えば執務領域（空間）から切り離して形成される多用途領域（空間）を形成するように設置されるものである。また、この実施形態の壁構造体１００は、補助天板２の壁体１に向かう側と反対側の端縁２ｂを、テーブルＴの天板Ｔ１の一端縁Ｔ１ｂの下方に重合させて配置するようにしている。
【００１８】
具体的には、壁体１は、補助天板２の下側に位置して空間を仕切る壁体としての下パネル体１１と、下パネル体１１の上側、言い換えれば補助天板２よりも上方の位置において空間を仕切る上パネル体１２と、下部壁体１１に接続して前記補助天板２を支持する支持フレーム１３とを備えてなる。この実施形態においては、下パネル体１１と上パネル体１２とで空間を仕切るものである。
【００１９】
下パネル体１１は、本実施形態ではテーブルＴの天板Ｔ１の幅寸法より大なる幅寸法を有している。この下パネル体１１は、左右で対をなす縦部材１１ａと、縦部材１１ａの上端を連結する上横部材１１ｂと、縦部材１１ａの下端を連結する下横部材１１ｃと、縦部材１１ａと上横部材１１ｂと下横部材１１ｃとで支持されるパネル要素１１ｄと、それぞれの縦部材１１ａに取り付けられる棚板受け部材１１ｅと、棚板１１ｆと、ベース脚１１ｇと、ボード部１４とを備えてなる。この下パネル体１１は、棚の後板として機能する。棚板１１ｆは、補助天板２と同等のもので、棚板受け部材１１ｅにより高さを変更し得るように取り付けられる。
【００２０】
ボード部１４は、横部材１１ｂの補助天板２側の面に下端が固定される２本の取付柱１４ａと、その取付柱１４ａの上端部分に固定される上レール部材１４ｂと、テーブルＴの天板Ｔ１より上の高さ位置に固定される下レール部材１４ｃと、上レール部材１４ｂと下レール部材１４ｃとに支持されるボードたるホワイトボード１４ｄとを備えている。この実施形態においては、上レール部材１４ｂと下レール部材１４ｃとは、２枚のホワイトボード１４ｄを支持することができるように、長手方向に延びる平行な２本の溝を備える構成である。このような構成の上レール部材１４ｂと下レール部材１４ｃとは、ホワイトボード１４ｄを持ち上げることによりホワイトボード１４ｄが上レール部材１４ｂと下レール部材１４ｃとの間から取り外せるようにその間隔を設定して取付柱１４ａに固定してあり、左右方向に摺動移動し得るようにもなっている。このために、ホワイトボード１４ｄの上縁には、両端部より若干低くなった低縁部１４ｄａを設けてある。この低縁部１４ｄａは、上レール部材１４ｂの長さより長くしてあり、取り外そうとするホワイトボード１４ｄがいずれか一方の側端側に完全に偏っていない、言い換えれば低縁部１４ｄａ以外の上縁が上レール部材１４ｂにかかっていない限り、ホワイトボード１４ｄを取り外すことができるように設定してある。また、ホワイトボード１４ｄは、表裏二面において書き込みが可能な構成である。
【００２１】
上パネル体１２は、パネル要素１２ａと、そのパネル要素１２ａの縁部に取り付けられる枠部材１２ｂとを備えてなる。この上パネル体１２は、下パネル体１１より僅かに小なる幅寸法のもので、枠部材１２ｂの縦枠１２ｂａを下パネル体１１の縦部材１１ａに固定して、下パネル体１１の横部材１１ｂの幅方向のほぼ中央に位置するように取り付けられるものである。パネル要素１２ａは、室内の空間を仕切った際に、その周囲部分が暗くならないように、またその一方でテーブルＴの天板Ｔ１に面して着席している利用者の注意力が散漫にならないように、半透明の例えば乳白色のプラスチック板素材を用いるものである。なお、このような上パネル体１２は、このようなプラスチック板素材を用いたパネル要素１２ａを使用するもの以外に、オフィスなどで多用されるパーティションなど間仕切りに用いられる家具において用いられる構造を適用するものであってよく、またパネル要素１２ａの表面にエンボス加工を施しこのパネル要素１２ａを映写スクリーンとしても使用可能にしたものであってもよい。
【００２２】
支持フレーム１３は、下パネル体１１の横部材１１ｂに一方の端部が連結される２本の長尺部材１３ａを備えてなる。長尺部材１３ａは、補助天板２をその奥行き方向に沿って支持するもので、補助天板２の幅寸法にあわせた間隔をあけて平行に配置される。また、長尺部材１３ａは、補助天板２の上面２ａが、下パネル体１１の横部材１１ｂの上面１１ｂａとほぼ面一になるように、その取付高さを調整してある。
【００２３】
一方、補助天板２は、この実施形態においては、壁体１に近づくにつれ幅が広がる平面視ほぼ台形形状の平板で構成される。そして、補助天板２は、壁体１に向かう側と反対側の縁部、すなわちテーブルＴの天板Ｔ１と重なる側の縁部２ｂの幅寸法がテーブルＴの天板Ｔ１の幅寸法より小なるものの、壁体１に向かう側の縁部２ｃにおいてはその幅寸法がテーブルＴの天板Ｔ１より十分に大なるものにしてある。このように、補助天板２の形状は、テーブルＴの天板Ｔ１の形状とは全く異なるものにしてあり、また、この補助天板２の側縁２ｄがテーブルＴの天板Ｔ１の側縁１ｄと不連続となるようにこの補助天板２の形状を設定している。そして、壁体１とテーブルＴとの間に補助天板２を配置することにより、これら壁体１とテーブルＴとの間の領域、すなわち平面視略前記補助天板２が存在する領域に緩衝領域Ａを設定している。
【００２４】
この実施形態においては、テーブルＴの天板Ｔ１と補助天板２との床面からの高さを異ならせている。具体的には、補助天板２の天板面２ａの高さ位置を、テーブルＴの天板面Ｔ１ｃの高さ位置よりもテーブルＴの天板Ｔ１の厚み分だけ低い位置に取り付けてある。つまり、補助天板２の天板面２ａがテーブルＴの天板面Ｔ１ｃより下側に位置して、言い換えれば補助天板２の天板面２ａの上にテーブルＴの天板Ｔ１が密着して重ね合わされており、補助天板２とテーブルＴの天板Ｔ１との間には段差が形成されるものである。また、この実施形態においては、テーブルＴの天板Ｔ１と補助天板２との境界部分ＲＢ、つまりテーブルＴの天板Ｔ１と補助天板２との重ね合わせ部分の側方に、テーブルＴの天板Ｔ１と補助天板２との幅の相違に基づいて平面視天板付き家具Ｔの天板Ｔ１の内方に向けて凹部３が形成される。
【００２５】
このような構成において、この壁構造体１００は、室内に種々の状況に合わせて使用が可能な領域を形成するために配置される。具体的には、例えば室内を執務領域とそれ以外の多用途領域とに仕切る場合に、壁構造体１００の補助天板２が多用途領域に位置するように、すなわち下パネル体１１及び上パネル体１２の補助天板２が無い方の面を執務領域に対面させて配置するものである。そして下パネル体１１及び上パネル体１２により室内が仕切られた状態で、接客、会議、食事などの異なる状況において、執務領域とは隔離された状態で補助天板２の壁体１に向かう側と反対側の縁部２ｂを天板付き家具Ｔの天板Ｔ１の短辺に沿って延伸する縁部Ｔ１ａに臨ませて使用し得るものである。この場合に、上パネル体１２は半透明の素材により構成されているので、周囲の光を完全に遮ることなく、しかもテーブル１００を使用している利用者を明確に認識することが不可能にして、採光と間仕切りとを両立させるものである。
【００２６】
この実施形態においては、補助天板２の一縁部２ｂと、天板付き家具Ｔの補助天板２に向かう側のコーナー部Ｔ１ａ側の縁部Ｔ１ｂとを重ね合わせた状態で、補助天板２を支持フレーム１３に支持されている。また、補助天板２の幅が天板付き家具Ｔ側の縁部２ｂから遠ざかるにしたがって大きくなることにより、天板付き家具Ｔの天板Ｔ１と補助天板２との境界部分ＲＢには凹部３が形成される。このように凹部３が形成されることによって、天板付き家具Ｔの天板Ｔ１のコーナー部Ｔ１ａをより一層容易に認識することができるようになっている。
【００２７】
上述したように、補助天板２の壁体１と反対側の端縁２ｂをテーブルＴ１の端縁Ｔ１ｂに沿うように配置することにより、補助天板２が壁体１とテーブルＴ１と間に緩衝領域Ａを形成するスペーサ部材として機能するので、テーブルＴ１の壁体１側に位置するコーナー部Ｔ１ａに面して着席した場合に上パネル体１２が着座位置の近傍にあっても、緩衝領域Ａがあることにより、精神的に圧迫感を受けることを軽減することができる。また、その天板面２ａが、天板付き家具Ｔの天板面Ｔ１ｃより天板Ｔ１の厚み分だけ下側に位置している。これによって、補助天板２と天板付き家具Ｔの天板Ｔ１との間に段差が生じているため、壁構造体１００に隣接する天板付き家具Ｔを使用する場合、具体的には多人数で端から詰めて着席する必要がある場合などでは、天板付き家具Ｔの天板Ｔ１と補助天板２との間にこのような段差が形成されていることにより、天板付き家具Ｔの天板Ｔ１のコーナー部Ｔ１ａの認識が容易になり、前記コーナー部Ｔ１ａに面して着席するように利用者を誘導することができる。しかも、この補助天板２の側縁２ｄがテーブルＴの天板Ｔ１の側縁１ｄと不連続となるようにこの補助天板２の形状を設定しているので、天板付き家具Ｔの天板Ｔ１と補助天板２との境界部分ＲＢに天板付き家具Ｔの天板Ｔ１と補助天板２との幅の相違に基づいて凹部３が形成され、より明確に前記コーナー部Ｔ１ｃを認識することができる。
【００２８】
また、補助天板２が天板付き家具Ｔの天板Ｔ１より一段下がっていることにより、打ち合わせなどを行う場合に、例えば資料を天板付き家具Ｔの天板Ｔ１の上に置き、飲み物などを補助天板２に置けば、飲み物を倒して資料などを汚すと言った不都合を引き起こすことなく打ち合わせなどを行うことができる。また、このように補助天板２を活用することにより、天板付き家具Ｔの天板Ｔ１を効率よく、しかも最大限に広く使用することができる。
【００２９】
さらに、ホワイトボード１４ｄは、二枚が重なり合って、しかもスライド移動及び取り外し可能に支持されて上パネル体１２の天板付き家具Ｔ側に配置されているので、会議などの場合に多くの情報を書き込むことができる。また、ホワイトボード１４ｄは表裏二面に書き込みが可能であり、しかも取り外しが可能であるので、不意の来客時などには、裏返すことによって、それまでの使用において書き込んだ書き込みを消すことなく隠すことができる。
【００３０】
なお、本発明は、上記実施形態に限定されるものではない。
【００３１】
上記実施形態においては、天板付き家具Ｔの天板Ｔ１と壁構造体の補助天板２とを異なる形状で、かつ床面からの異なる高さ位置に配置したものを説明したが、両者の色、質感あるいは材質が異なるもので構成するものであってよい。具体的には、例えば、天板付き家具Ｔの天板Ｔ１が白色であれば補助天板２を黒色に着色する、天板付き家具Ｔの天板Ｔ１が木質調に構成したものであれば補助天板２は金属あるいはプラスチックを連想させる質感とする、天板付き家具Ｔの天板Ｔ１が木製であれば補助天板２は金属製とする、などである。なお、色、質感あるいは材質については、例示したものに限定されるものではなく、天板付き家具Ｔの天板Ｔ１と補助天板との区別が容易につくように、設定すればよい。また、このような高さ、形状、色、質感あるいは材質の相違は、単独であるいは高さと形状、高さと形状と色と、と言うようにそれぞれを組み合わせて適用するものであってよい。
【００３２】
また、例えば会議などに利用する頻度が少ない部署に設置されるものでは、ボード部１４のホワイトボード１４ｄを１枚構成にする、あるいはボード部１４自体を省略する構成にするものであってもよい。ボード部１４を省略した構成にあっては、補助天板２の上方に棚を設ける構成であってもよい。さらに、例えば執務領域との間の距離を大きく取れる場合などにおいては、上パネル体１２及びボード部１４がない構成にするものであってもよい。このように上パネル体１２及びボード部１４を省略した構成のものであっても、下パネル体１１がその幅寸法を天板付き家具Ｔの天板Ｔ１の幅寸法より大きく設定されていることにより、領域を仕切る機能自体は上記実施形態のものと変わらないものである。
【００３３】
さらに、ホワイトボードを利用して形成した前記ボード部１４に代えて、黒板を利用して形成したボード部を壁体１に備えるようにしてももちろんよい。
【００３４】
加えて、前記ボード部１４のホワイトボード１４ｄの表面に、映写スクリーンとしても兼用できるようにすべくエンボス加工を施す態様ももちろん考えられる。
【００３５】
一方、本発明に係る壁構造体としては、図５に示すように、上述した実施形態における壁体１が、上パネル体１２と重なるように配置される映写スクリーンを着脱可能に備えてなるものももちろん含まれる。このようなものの具体例として、例えば、上パネル体１２に、巻き取り可能な映写スクリーンＳＣを取付可能なフック状の映写スクリーン取付部７を形成しておくものが考えられる。さらに、前記上パネル体１２に巻き取り可能な映写スクリーンを固着しておくもの等も考えられる。
【００３６】
さらに、本発明に係る壁構造体としては、上述した実施形態における脚部２、具体的には前記上パネル体１２または下パネル体１１に、液晶ディスプレイやプラズマディスプレイに代表される表示ディスプレイ装置を着脱可能に取り付け可能なディスプレイ装置取付部を備えたものももちろん含まれる。このようなディスプレイ装置取付部として、例えば、図６に示すように、前記上パネル体１２に当接した状態に固定して取り付けられ下方から表示ディスプレイ装置を支持する取付金具８１を利用して形成したディスプレイ装置取付部８が考えられる。また、図示はしないが、下端部を下パネル体１１に支持させ上端部に表示ディスプレイ装置ＤＰを取り付けるディスプレイ取付具等を利用して形成したもの等が考えられる。
【００３７】
さらに、本発明に係る壁構造体としては、上記実施形態に述べたような、上パネル体及びボード部がそれぞれ別体をなすとともに、これら上パネル体及びボード部の下端を上パネル体にそれぞれ支持させる態様のもの以外に、図７に示すように、上パネル体そのものを書き込み可能なボード、例えばホワイトボードとして使用可能に構成する態様のものももちろん含まれる。前記ホワイトボードには、板面にエンボス加工を施し、該板面を映写スクリーンとしても兼用可能なものももちろん含まれる。
【００３８】
また、下パネル体に映写スクリーンとして使用可能な上パネル体を支持させるものももちろん含まれる。
【００３９】
加えて、図８に全体斜視図、図９に分解斜視図をそれぞれ示すように、上パネル体１２０が、全体が天板部の下方に位置する収納位置と、この収納位置よりも上方に位置する使用位置との間で昇降可能な構成を有するものももちろん含まれる。なお、前記図８において、上部壁体１２０を前記収納位置に配した状態を実線、上部壁体１２０を前記使用位置に配した状態を想像線によりそれぞれ示している。
【００４０】
具体的には、例えば、前記図９、及び図８における要部の平断面図である図１０に示すように、上パネル体１２０を、左右１対をなす支柱１２０１ａ、前記支柱１２０１ａの上端部間を接続する上枠１２０１ｂ、及び前記支柱１２０１ａの下部間を接続する下枠１２０１ｃからなる枠部材１２０１と、支柱１２０１ａ間に位置して支柱１２０１ａに左右両端を支持させてなる面板部１２０２とを具備するものにしているとともに、上パネル体１２０と下パネル体１１との間に介在し、前記上パネル体１２０を高さ位置を変更可能に支持する上部壁体支持機構９を設ける態様が考えられる。
【００４１】
さらに詳述すると、上部壁体支持機構９は、例えば、前記支柱１２０１ａに高さ方向に離間させて複数設けた支持具挿通孔９１と、前記下パネル体１１に設けた雌ねじ孔９２と、前記支持具挿通孔９１を通過し前記雌ねじ孔９２に螺着してなる雄ねじ部９３１を有する支持具９３と、前記下パネル体１１の縦部材１１ａ及び上横部材１１ｂに連通して設けられ上パネル体１２０を挿入可能なスリット１１ｓとを具備する。
【００４２】
前記上パネル体１２０の高さ位置を変更する際には、まず、前記支持具９３の雄ねじ部９３１を前記雌ねじ孔９２に螺着した状態を解消し、次いで、上部壁体２４０を昇降させる。それから、前記支持具９３の雄ねじ部９３１を、前記支持具挿通孔９１に挿通させ、そして、前記雄ねじ部９３１を前記雌ねじ孔９２に螺着するようにしている。
【００４３】
そして、壁体と他の家具の天板の端縁との間に緩衝領域を形成する機能を有するスペーサ部材としては、補助天板に限らず、例えば壁体から突出して設けられる棒状の突起等、壁体と他の家具の天板の端縁とを離間させる機能を有するものが含まれうる。
【００４４】
加えて、図１１に斜視図、図１２に正面図、図１３に側面図をそれぞれ示すように、壁体１の下端部、例えばベース脚１１ｇの前後両端部にキャスタ１９を備えるようにしてもよい。このようにすれば、壁体１を有する壁構造体の運搬を容易に行えるようになり、必要な箇所の家具に隣接させ、必要に応じて家具付近の空間を仕切る態様を容易に実現できる。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の実施形態の斜視図。
【図２】同実施形態の正面図。
【図３】同実施形態の平面図。
【図４】同実施形態の側面図。
【図５】本発明の他の実施形態の全体斜視図。
【図６】本発明のさらに他の実施形態の全体斜視図。
【図７】本発明のさらに他の実施形態の全体斜視図。
【図８】本発明のさらに他の実施形態の全体斜視図。
【図９】同実施形態の分解斜視図。
【図１０】図８における要部の平断面図
【図１１】本発明のさらに他の実施形態の全体斜視図。
【図１２】同実施形態の正面図。
【図１３】同実施形態の側面図。
【符号の説明】
【００４７】
１…壁体
１２…上パネル体
２…補助天板（スペーサ部材）
Ａ…緩衝領域
【図１】
2006274580.tif 000003
【図２】
2006274580.tif 000004
【図３】
2006274580.tif 000005
【図４】
2006274580.tif 000006
【図５】
2006274580.tif 000007
【図６】
2006274580.tif 000008
【図７】
2006274580.tif 000009
【図８】
2006274580.tif 000010
【図９】
2006274580.tif 000011
【図１０】
2006274580.tif 000012
【図１１】
2006274580.tif 000013
【図１２】
2006274580.tif 000014
【図１３】
2006274580.tif 000015